(57)【特許請求の範囲】
【請求項１】
入力側回線を終端し装置内部とのインタフェースを行う入力側インタフェース部と、出力側回線を終端し装置内部とのインタフェースを行う出力側インタフェース部と、前記入力側インタフェース部から入力されたＡＴＭセルをハードウェアスイッチングにより所定の出側に出力するＡＴＭスイッチと、装置動作用の各種データおよび呼処理プログラムを記憶しておくための記憶部と、中央制御部と、前記中央制御部の呼処理に基づいてコネクションの設定解放制御を行うスイッチ制御部と、前記装置間のコネクションに対応するデータ設定入力操作を行うための入力部とを備え、前記中央制御部は、前記入力部から入力されたデータに基づきＡＴＭ通信網の装置間のコネクションごとに所定のトラヒッククラス情報および送受信レート情報を設定するトラヒックパラメータ設定部と、前記障害の検出を行う障害判定部と、障害が起こったコネクションのトラヒッククラス情報が迂回を考慮した特定のクラスであるか否かを前記記憶部にあらかじめ記憶したデータを参照し識別するトラヒッククラス識別部と、前記トラヒッククラス識別部によってトラヒッククラスが前記特定のクラスであると識別されたとき正常時用の保証される平均レートの上限を示すパラメータから迂回時用の保証される平均レートの上限を示すパラメータに変更するトラヒックパラメータ変更部と、セットアップメッセージを生成するセットアップメッセージ生成部と、前記セットアップメッセージ生成部で生成したセットアップメッセージの可変長情報要素に前記トラヒックパラメータ変更部で変更した指定のパラメータを入れて迂回対象のＡＴＭ装置へ送出するセットアップメッセージ送受信部とを有し、前記記憶部から読み出したデータに基づきＡＴＭ通信網の装置間の各コネクションに適用されるトラヒッククラス情報および送受信レート情報の設定を行わせると共に前記呼処理プログラムを用い相手装置からの受信情報に従い呼処理を行い、前記装置間が正常状態のときには、コネクション設定用セットアップメッセージの可変長情報要素中に迂回を考慮したノンリアルタイム型データを扱うトラヒッククラス情報およびこのトラヒッククラス情報に対応し正常時の保証される平均レートの上限を示す第１の送受信レート情報と送信できる送信レートの上限を示す第３の送受信レート情報を入れて送出し装置間のコネクション設定を行わせ、前記装置間の障害を検出したときには、コネクション設定用セットアップメッセージの可変長情報要素中に迂回を考慮したノンリアルタイム型データを扱うトラヒッククラス情報およびこのトラヒッククラス情報に対応し迂回時の保証される平均レートの上限を示す第２の送受信レート情報と送信できる送信レートの上限を示す第３の送受信レート情報を入れて送出し装置間のコネクション設定を行わせることを特徴とするＡＴＭ装置。
【請求項２】
請求項１に記載のＡＴＭ装置を用いて通信ネットワークを構築することを特徴とするＡＴＭ通信網。
【発明の詳細な説明】
【０００１】
【発明の属する技術分野】
本発明はＡＴＭ（Ａｓｙｎｃｈｒｏｎｏｕｓ  Ｔｒａｎｓｆｅｒ  Ｍｏｄｅ：非同期転送モード）で交換接続するＡＴＭ交換機等のＡＴＭ装置に関し、特にＡＴＭ通信網（ネットワーク）を構成するＡＴＭ装置間の回線障害等の迂回接続におけるコネクション設定を行うＡＴＭ装置およびそのコネクション設定方法ならびにＡＴＭ通信網に関する。
【０００２】
【従来の技術】
一般的に、ＡＴＭにおけるサービス・カテゴリのうち、ＣＢＲ（Ｃｏｎｓｔａｎｔ  Ｂｉｔ  Ｒａｔｅ）は常に一定のレートで伝送するため重要データまたはリアルタイム性の動画・音声データを扱うクラスである。また、ＶＢＲ（Ｖａｒｉａｂｌｅ  Ｂｉｔ  Ｒａｔｅ）は可変ビットレートであるが、トラヒックパラメータの一つであるＳＣＲ（Ｓｕｓｔａｉｎａｂｌｅ  Ｃｅｌｌ  Ｒａｔｅ：平均セル速度）の帯域分は確実に保証するためリアルタイム性の可変レートビデオ・音声やＬＡＮデータを扱うクラスである。ＡＢＲ（Ａｖａｉｌａｂｌｅ  Ｂｉｔ  Ｒａｔｅ）はフィードバック制御によりネットワークの輻輳状況に応じて適切にデータレートを確保するため、ＬＡＮ（Ｌｏｃａｌ  Ａｒｅａ  Ｎｅｔｗｏｒｋ）アプリケーションデータを扱う場合やトラヒック変動が激しい場合に用いるクラスである。ＵＢＲ（Ｕｎｓｐｅｃｉｆｉｅｄ  Ｂｉｔ  Ｒａｔｅ）は帯域割り当てもなく品質保証規定もないため、いつか通信できればいいデータを扱うクラスである。従来はこれらクラスを用途に応じて設定し、ＡＴＭ装置間でデータ通信を行っている。
【０００３】
【発明が解決しようとする課題】
上述した従来のクラスはネットワーク迂回を十分に考慮したトラヒッククラスではなかった。また現状では、帯域当たりの単価は高く、ユーザはできる限り帯域を切りつめようとするのが実状である。そのような状況で、障害に対処するためにバックアップ用の帯域を確保しなければならず、帯域の有効活用が望まれている。
【０００４】
本発明の目的は、障害時の迂回接続において最低限確保しなければならない帯域を低く抑え、かつ重要であるＣＢＲデータを確実に伝送させるために、代わりに可変ビットデータ（ｂ−ＶＢＲ）の保証される平均レートの上限を低く抑えてシグナリングすることができるＡＴＭ装置およびそのコネクション設定方法ならびにＡＴＭ通信網を提供することにある。
【０００５】
【課題を解決するための手段】
本発明のＡＴＭ装置は、入力側回線を終端し装置内部とのインタフェースを行う入力側インタフェース部と、出力側回線を終端し装置内部とのインタフェースを行う出力側インタフェース部と、前記入力側インタフェース部から入力されたＡＴＭセルをハードウェアスイッチングにより所定の出側に出力するＡＴＭスイッチと、装置動作用の各種データおよび呼処理プログラムを記憶しておくための記憶部と、中央制御部と、前記中央制御部の呼処理に基づいてコネクションの設定解放制御を行うスイッチ制御部と、前記装置間のコネクションに対応するデータ設定入力操作を行うための入力部とを備え、前記中央制御部は、前記入力部から入力されたデータに基づきＡＴＭ通信網の装置間のコネクションごとに所定のトラヒッククラス情報および送受信レート情報を設定するトラヒックパラメータ設定部と、前記障害の検出を行う障害判定部と、障害が起こったコネクションのトラヒッククラス情報が迂回を考慮した特定のクラスであるか否かを前記記憶部にあらかじめ記憶したデータを参照し識別するトラヒッククラス識別部と、前記トラヒッククラス識別部によってトラヒッククラスが前記特定のクラスであると識別されたとき正常時用の保証される平均レートの上限を示すパラメータから迂回時用の保証される平均レートの上限を示すパラメータに変更するトラヒックパラメータ変更部と、セットアップメッセージを生成するセットアップメッセージ生成部と、前記セットアップメッセージ生成部で生成したセットアップメッセージの可変長情報要素に前記トラヒックパラメータ変更部で変更した指定のパラメータを入れて迂回対象のＡＴＭ装置へ送出するセットアップメッセージ送受信部とを有し、前記記憶部から読み出したデータに基づきＡＴＭ通信網の装置間の各コネクションに適用されるトラヒッククラス情報および送受信レート情報の設定を行わせると共に前記呼処理プログラムを用い相手装置からの受信情報に従い呼処理を行い、前記装置間が正常状態のときには、コネクション設定用セットアップメッセージの可変長情報要素中に迂回を考慮したノンリアルタイム型データを扱うトラヒッククラス情報およびこのトラヒッククラス情報に対応し正常時の保証される平均レートの上限を示す第１の送受信レート情報と送信できる送信レートの上限を示す第３の送受信レート情報を入れて送出し装置間のコネクション設定を行わせ、前記装置間の障害を検出したときには、コネクション設定用セットアップメッセージの可変長情報要素中に迂回を考慮したノンリアルタイム型データを扱うトラヒッククラス情報およびこのトラヒッククラス情報に対応し迂回時の保証される平均レートの上限を示す第２の送受信レート情報と送信できる送信レートの上限を示す第３の送受信レート情報を入れて送出し装置間のコネクション設定を行わせることを特徴とする。
【０００８】
本発明のＡＴＭ通信網は、上述したＡＴＭ装置を用いて構築される。
【０００９】
【発明の実施の形態】
次に、本発明の実施の形態について図面を参照して説明する。
【００１０】
図１を参照すると、ＡＴＭ通信網を構成する複数のＡＴＭ装置のうちの一つが示されており、ＡＴＭ装置１は、入力側回線を終端し装置内部とのインタフェースを行う入力側インタフェース部２と、出力側回線を終端し装置内部とのインタフェースを行う出力側インタフェース部３と、入力側インタフェース部２から入力されたＡＴＭセルをハードウェアスイッチングにより所定の出側に出力するＡＴＭスイッチ４と、装置動作用の各種データおよび呼処理プログラムを記憶しておくための記憶部５と、記憶部５から読み出したデータに基づきＡＴＭ通信網の装置間の各コネクションに適用されるトラヒッククラス情報および送受信レート情報の設定を行わせると共に呼処理プログラムを用い相手装置からの受信情報に従い呼処理を行いＡＴＭ装置間が正常状態のときには、コネクション設定用セットアップメッセージの可変長情報要素中に迂回を考慮したノンリアルタイム型データを扱うトラヒッククラス情報およびこのトラヒッククラス情報に対応し正常時の保証される平均レートの上限を示す第１の送受信レート情報と送信できる送信レートの上限を示す第３の送受信レート情報を入れて送出し装置間のコネクション設定を行わせる中央制御部６と、中央制御部６の呼処理に基づいてコネクションの設定・解放制御を行うスイッチ制御部７と、装置間のコネクションに対応するデータ設定入力操作を行うための入力部８とを備える。また、中央制御部６は、ＡＴＭ装置間の障害を検出したときには、コネクション設定用セットアップメッセージの可変長情報要素中に迂回を考慮したノンリアルタイム型データを扱うトラヒッククラス情報およびこのトラヒッククラス情報に対応し迂回時の保証される平均レートの上限を示す第２の送受信レート情報と送信できる送信レートの上限を示す第３の送受信レート情報を入れて送出し装置間のコネクション設定を行わせる。
【００１１】
中央制御部６は、入力部８から入力されたデータに基づきＡＴＭ通信網の装置間のコネクションごとに所定のトラヒッククラス情報および送受信レート情報を設定するトラヒックパラメータ設定部６１と、回線等の障害検出を行う障害判定部６２と、障害となったコネクションのトラヒッククラス情報が迂回を考慮した特定のクラスであるか否かを記憶部５にあらかじめ記憶したデータを参照し識別するトラヒッククラス識別部６３と、トラヒッククラス識別部６３によってトラヒッククラスが特定のクラスであると識別されたとき正常時用の保証される平均レートの上限を示すパラメータから迂回時用の保証される平均レートの上限を示すパラメータに変更するトラヒックパラメータ変更部６４と、セットアップメッセージを生成するセットアップメッセージ生成部６５と、セットアップメッセージ生成部６５で生成したセットアップメッセージの可変長情報要素にトラヒックパラメータ変更部６４で変更した指定のパラメータを入れて迂回対象のＡＴＭ装置へ送出するセットアップメッセージ送受信部６６とを備える。
【００１２】
ＡＴＭ装置１は、コネクション設定のシグナリング情報をセットアップメッセージに入れて送信する。このコネクション設定ではセットアップメッセージの周知の可変長情報要素に、迂回を考慮したノンリアルタイム型データとして、ＡＴＭ装置間の正常時の保証される平均レートの上限を示す第１の送受信レート情報（ｇ−ＳＣＲ）と迂回時の保証される平均レートの上限を示す第２の送受信レート情報（ｄ−ＳＣＲ）と送信できる送信レートの上限を示す第３の送受信レート情報（ＰＣＲ）とを定め、正常時には第１および第３の送受信レート情報を用い、迂回時には第２および第３の送受信レート情報を用いセットアップメッセージに入れて、コネクション設定を行う。
【００１３】
コネクション設定に使われるセットアップメッセージにおいて、可変長情報要素（Ｉｎｆｏｒｍａｔｉｏｎ  Ｅｌｅｍｅｎｔ：ＩＥ）の情報の一つであるＡＴＭトラヒッククラスを、従来のＣＢＲ（Ｃｏｎｓｔａｎｔ  Ｂｉｔ  Ｒａｔｅ）、ｒｔ−ＶＢＲ（ｒｅａｌ−ｔｉｍｅ  Ｖａｒｉａｂｌｅ  Ｂｉｔ  Ｒａｔｅ）、ｎｒｔ−ＶＢＲ（ｎｏｎ−ｒｅａｌ−ｔｉｍｅ  Ｖａｒｉａｂｌｅ  Ｂｉｔ  Ｒａｔｅ）、ＡＢＲ（Ａｖａｉｌａｂｌｅ  Ｂｉｔ  Ｒａｔｅ）、ＵＢＲ（Ｕｎｓｐｅｃｉｆｉｅｄ  Ｂｉｔ  Ｒａｔｅ）の他に、障害時の迂回を考慮したノンリアルタイム型データを扱うクラスｂ−ＶＢＲ（ｂｒｉｂｅｒｙ  Ｖａｒｉａｂｌｅ  Ｂｉｔ  Ｒａｔｅ）を新たに定義する。
【００１４】
一般的にノンリアルタイムデータを扱うトラヒッククラスはｒｔ−ＶＢＲ、ｎｒｔ−ＶＢＲである。このｒｔ−ＶＢＲ、ｎｒｔ−ＶＢＲには、ＡＴＭコネクション上で送信できる送信レートの上限を示すＰＣＲ（Ｐｅａｋ  Ｃｅｌｌ  Ｒａｔｅ）、連続するセル転送間隔の変動をどこまで許容するかというパラメータであるＣＤＶＴ（Ｃｅｌｌ  Ｄｅｌａｙ  Ｖａｒｉａｔｉｏｎ  Ｔｏｌｅｒａｎｃｅ）、ＡＴＭコネクションの保証される平均レートの上限を示すＳＣＲ（Ｓｕｓｔａｉｎａｂｌｅ  Ｃｅｌｌ  Ｒａｔｅ）、ピークレートで連続送信できるセル数を決めるパラメータであるＢＴ（Ｂｕｒｓｔ  Ｔｏｌｅｒａｎｃｅ）を設定し、コネクション時にはこの情報をもつメッセージが送信される。
【００１５】
ここで、今回新たに定義したｂ−ＶＢＲデータには、ＰＣＲ（Ｐｅａｋ  Ｃｅｌｌ  Ｒａｔｅ）、ＣＤＶＴ（Ｃｅｌｌ  Ｄｅｌａｙ  Ｖａｒｉａｔｉｏｎ  Ｔｏｌｅｒａｎｃｅ）、ＢＴ（Ｂｕｒｓｔ  Ｔｏｌｅｒａｎｃｅ）および正常時の保証される平均レートの上限を示すｇ−ＳＣＲ（ｇｅｎｅｒａｌ  Ｓｕｓｔａｉｎａｂｌｅ  Ｃｅｌｌ  Ｒａｔｅと定義）と迂回時の保証される平均レートの上限を示すｄ−ＳＣＲ（ｄｅｔｏｕｒ  Ｓｕｓｔａｉｎａｂｌｅ  Ｃｅｌｌ  Ｒａｔｅと定義）を設定する。正常時のコネクション設定のシグナリングは、ｂ−ＶＢＲクラスデータに対してはｇ−ＳＣＲでシグナリング情報が送信されコネクションが確立し、迂回時のコネクションを確立させる場合にはｄ−ＳＣＲでシグナリングされる。
【００１６】
ここで、ｂ−ＶＢＲデータの送受信レートは、迂回時にはｇ−ＳＣＲがｄ−ＳＣＲに切り替わってシグナリングするようにＡＴＭ装置内部を制御する。ネットワークにおいては、これらの情報を含んだセットアップパケットがコネクション設定のシグナリング情報としてノードに送信されコネクションが確立する。
【００１７】
次に図２を参照して動作を説明する。始めに、ＡＴＭ通信網を構成するＡＴＭ装置間を接続するコネクションごとにトラヒッククラス情報および送受信レート情報（トラヒックパラメータ）を設定しておく（ステップ１：Ｓ１と略称）。相手ＡＴＭ装置とのコネクションを設定確立した状態で（Ｓ２、Ｓ３）、回線等に障害が発生していることを検出したとき（Ｓ４）、当該コネクションに設定されているトラヒッククラス情報が迂回を考慮したノンリアルタイム型データを扱うクラスであることを識別した場合には（Ｓ５）、送受信レート情報を保証される平均レートの上限を示すパラメータをｇ−ＳＣＲからｄ−ＳＣＲに変更する（Ｓ６）。この変更したパラメータとトラヒッククラス情報とをセットアップメッセージの可変長情報要素に入れて迂回対象のＡＴＭ装置に送出し（Ｓ７）、コネクションを設定する（Ｓ８）。
【００１８】
次に図３にＡＴＭネットワーク構成例を示す。前提としてコネクション設定については、ＡＴＭ装置Ａ、Ｂ間通信▲１▼をＶＰ（Ｖｉｒｔｕａｌ  Ｐａｓｓ）＝Ａ、ＶＣ（Ｖｉｒｔｕａｌ  Ｃｈａｎｎｅｌ）＝ａ１（ＣＢＲ）、ａ２（ｂ−ＶＢＲ）、ａ３（ｂ−ＶＢＲ）とし、ＡＴＭ装置Ａ、Ｃ間通信▲２▼をＶＰ＝Ｂ、ＶＣ＝ｂ１（ＣＢＲ）、ｂ２（ＣＢＲ）、ｂ３（ｂ−ＶＢＲ）、そしてＡＴＭ装置Ｂ、Ｃ間通信▲３▼をＶＰ＝Ｃ、ＶＣ＝ｃ１（ＣＢＲ）、ｃ２（ｂ−ＶＢＲ）、ｃ３（ｂ−ＶＢＲ）とする。また、ＡＴＭ装置のポートの設定については、ＡＴＭ機器の各ポートごとにＣＢＲ、ｂ−ＶＢＲ、（ＡＢＲ、ＵＢＲ）の各パラメータ（ＣＢＲならばＰＣＲ、ＣＤＶＴを、ｂ−ＶＢＲならばＰＣＲ、ＣＤＶＴ、ｇ−ＳＣＲ、ｄ−ＳＣＲ、ＢＴ）を設定する。
【００１９】
次に、ＡＴＭ装置のコネクション設定動作について説明する。
【００２０】
ＡＴＭ装置は、ＡＴＭスイッチにコネクションを設定して欲しいとの要求をセットアップメッセージに入れて送信する。セットアップメッセージには各種情報が入っており、プロトコル識別子でシグナリングのバージョンなどの識別を行い、呼識別子で設定しようとするコネクションの識別を行う。相手アドレスや自分のアドレス、要求品質などは可変長情報要素（ＩＥ）に入っている。
【００２１】
ＩＥには、ＡＡＬの識別（ＡＡＬ１〜ＡＡＬ５）やＡＡＬ  ＰＤＵサイズを示すＡＡＬ  ｐａｒａｍｅｔｅｒと、コネクションの送受信レート（ＰＣＲ／ｇ−ＳＣＲ、ｄ−ＳＣＲ  Ｂｕｒｓｔ  ｓｉｚｅ）を示すＡＴＭ  ｔｒａｆｆｉｃ  ｄｅｓｃｒｉｐｔｏｒと、ポイントツーポイントかマルチポイントかを示すＢｒｏａｄｂａｎｄ  ｂｅａｒｅｒ  ｃａｐａｂｉｌｉｔｙと、トラヒッククラスを示すＣＢＲ／ｒｔ−ＶＢＲ／ｎｒｔ−ＶＢＲ／ｂ−ＶＢＲ／ＡＢＲ／ＵＢＲと、ＡＴＭを使用する上位プロトコル情報（例えばアドレスやソケット番号）を示すＢｒｏａｄｂａｎｄ  ｈｉｇｈ  ｌａｙｅｒ  Ｉｎｆｏｒｍａｔｉｏｎと、ＡＴＭを使用する上位プロトコルのプロトコル識別子（例えばＩＰやＯＳＩレイヤ３）を示すＢｒｏａｄｂａｎｄ  ｌｏｗ  ｌａｙｅｒ  Ｉｎｆｏｒｍａｔｉｏｎと、目的地ＡＴＭアドレスを示すＣａｌｌｅｄ  ｐａｒｔｙ  ａｄｄｒｅｓｓと、目的地サブＡＴＭアドレスを示すＣａｌｌｅｄ  ｐａｒｔｙ  ｓｕｂａｄｄｒｅｓｓと、送信元ＡＴＭアドレスを示すＣａｌｌｉｎｇ  ｐａｒｔｙ  ａｄｄｒｅｓｓと、送信元サブアドレスを示すＣａｌｌｉｎｇ  ｐａｒｔｙ  ｓｕｂａｄｄｒｅｓｓと、ＶＰＩ／ＶＣＩを示すＣｏｎｎｅｃｔｉｏｎ  ｉｄｅｎｔｉｆｉｅｒと、セル廃棄、遅延等のＡＴＭ転送時間の要求品質を示すＱｕａｌｉｔｙ  ｏｆ  Ｓｅｒｖｉｃｅ  ｐａｒａｍｅｔｅｒと、中継ネットワークの指定を示すＴｒａｎｓｉｔ  ｎｅｔｗｏｒｋ  ｓｅｌｅｃｔｉｏｎと、ポイントマルチポイント用の各リーフの識別子を示すＥｎｄ  ｐｏｉｎｔ  ｒｅｆｅｒｅｎｃｅ等が入っている。
【００２２】
ＡＴＭ装置はこれを受け取り、目的地までのルートを決定する。さらに要求品質が満たされるか否かを判断し、リソースの予約を行う。これによりコネクションが設定されると、ＶＰＩ／ＶＣＩが、まずＣＡＬＬ  ＰＲＯＣＥＥＤＩＮＧによりユーザ端末に返され、ＣＯＮＮＥＣＴメッセージによりコネクションが確定されたことを通知する。この時のＡＴＭ  ｔｒａｆｆｉｃ  ｄｅｓｃｒｉｐｔｏｒは、ｂ−ＶＢＲデータに対してはｇ−ＳＣＲでシグナリングされる。
【００２３】
図３において、ＡＴＭ装置間（Ａ−Ｂ間）で障害等により迂回が生じる場合、ＰＮＮＩプロトコルにより迂回路（Ａ−Ｃ間）のコネクションがセットアップメッセージのシグナリングにより新たに確立する。この時、ＩＥのＡＴＭ  ｔｒａｆｆｉｃ  ｄｅｓｃｒｉｐｔｏｒに含まれる送受信レート情報が正常時にはｇ−ＳＣＲおよびＰＣＲでシグナリングされていたものが迂回用のｄ−ＳＣＲおよびＰＣＲでシグナリングされ、コネクション確立する。
【００２４】
ここでは、ＡＴＭトラヒッククラスｂ−ＶＢＲデータの送受信レート情報のうち、保証されている平均レートの上限を示すパラメータがｇ−ＳＣＲからｄ−ＳＣＲに変わってコネクション確立しているため、迂回後のＶＰ＝Ｂは、障害等により迂回が生じた側のＣＢＲデータであるＶＣ＝ｚ１（＝ａ１）、ｂ−ＶＢＲデータであるＶＣ＝ｚ２（＝ａ２）、ｚ３（＝ａ３）のｄ−ＳＣＲ分の帯域、および迂回が行われる前からコネクション確立していた側のＣＢＲデータであるＶＣ＝ｂ１、ｂ２、ｂ−ＶＢＲデータであるＶＣ＝ｂ３のｄ−ＳＣＲ分の帯域は保証されることになる（設計段階においてＶＰ＝Ｂの帯域は、迂回後の保証帯域の合計値以上になるようにする）。また同様にＢ−Ｃ間のＶＰ＝Ｃについても、ｂ−ＶＢＲデータはｄ−ＳＣＲでシグナリングされ帯域は確保されることになる。
【００２５】
例えば図３において、ａ１，ａ２のＳＣＲ（＝ｇ−ＳＣＲ）およびａ３のＳＣＲ（＝ｇ−ＳＣＲ）それぞれが１Ｍｂｐｓとすると、▲１▼が回線障害等により▲２▼に迂回路を設定する場合、従来ではａ１，ａ２のＳＣＲ（＝ｇ−ＳＣＲ）およびａ３のＳＣＲ（＝ｇ−ＳＣＲ）の合計である３Ｍｂｐｓ分の帯域が保証されなければならない帯域として最低限必要であったが、本発明によれば、ａ１の１ＭｂｐｓはＣＢＲのため全帯域を保証し、ａ２，ａ３はｂ−ＶＢＲで迂回時には、ｄ−ＳＣＲ分のみ帯域保証を行うので、つまり保証される平均レートの上限を低く、仮にａ２のｄ−ＳＣＲ，ａ３のｄ−ＳＣＲをそれぞれ０．５Ｍｂｐｓとしておけば、迂回時のみ必要で、かつ最低限確保する必要がある帯域の合計は２Ｍｂｐｓでよいことになる。すなわち、重要なＣＢＲデータを確実に伝送させることを優先し、その代わりにｂ−ＶＢＲの保証される平均レートの上限を低くしてシグナリングし、コネクション設定する。
【００２６】
なお、従来のＶＢＲデータ（ｒｔ−ＶＢＲ、ｎｒｔ−ＶＢＲ）のＳＣＲと今回定義したｂ−ＶＢＲデータのｇ−ＳＣＲは同等のものである（その様に回路設計する）ため、本発明のシグナリング機能を備えていないＡＴＭ装置にも接続することができる。その場合、迂回用のｄ−ＳＣＲは使えないので従来通りのサービスとなる。
【００２７】
【発明の効果】
以上説明したように本発明によれば、迂回時のｂ−ＶＢＲデータに対する保証平均レートの上限であるｄ−ＳＣＲが、正常時のｇ−ＳＣＲに比べて低く設定できるため、迂回を考慮した帯域をできる限り低くおさえることができる。また、コネクション要求するのは送信ＡＴＭ端末およびスイッチのコネクション設定部であるため、コネクション設定部を換えるだけで、システムを実現することができる。
【図面の簡単な説明】
【図１】（ａ）は本発明のＡＴＭ装置の実施の形態を示す構成図である。（ｂ）は（ａ）における中央制御部の構成を示す図である。
【図２】本発明の実施の形態の動作を示すフロー図である。
【図３】迂回時のコネクション例を説明するための図である。
【符号の説明】
１    ＡＴＭ装置
２    入力側インタフェース部
３    出力側インタフェース部
４    ＡＴＭスイッチ
５    記憶部
６    中央制御部
７    スイッチ制御部
８    入力部
６１    トラヒックパラメータ設定部
６２    障害判定部
６３    トラヒッククラス識別部
６４    トラヒックパラメータ変更部
６５    セットアップメッセージ生成部
６６    セットアップメッセージ送受信部
【図１】
0003546814.tif 000002
【図２】
0003546814.tif 000003
【図３】
0003546814.tif 000004